(57)【要約】【課題】羽根とガード部の分解・洗浄の手間を削減するため、羽根とガード部が一体になった扇風機を提供する。【解決手段】羽根２と、羽根２を覆うガード５と、羽根２と連結して羽根２を回転させるモータ６と、モータ６を内蔵するモータケース８と、羽根２・ガード５・モータケース８を支える台座部４を有し、前記羽根２はガード５に設けられた前軸受１３、後軸受１６によって回動可能に支持され、ガード５は羽根２を支持した状態でモータケース８と結合する構成により、羽根２とガード部１を一体にして取り外し可能とする。【選択図】図２
2016142207.tif 000002
【特許請求の範囲】
【請求項１】
羽根と、羽根を覆うガードと、羽根と連結して羽根を回転させるモータと、モータを内蔵するモータケースと、羽根・ガード・モータケースを支える台座を有し、前記羽根はガードに設けられた軸受によって回動可能に支持され、ガードは羽を支持した状態でモータケースと結合する扇風機。
【請求項２】
ガードは、前ガードと後ガードで構成され、前ガードには羽根の中心軸と嵌合する第一の軸受を設け、後ガードには、羽根の中心軸を保持する第二の軸受を設けた請求項１記載の扇風機。
【請求項３】
前記ガードとモータケースにツメを設け、ガード側のツメとモータケース側のツメとを引掛けてガードとモータケースを結合させる請求項１に記載の扇風機。
【請求項４】
前記モータケースにフランジを設け、フランジとガードをネジによって結合させる請求項１に記載の扇風機。
【発明の詳細な説明】
【技術分野】
【０００１】
本発明は、ガード部と羽根を一体にしたガード付羽根部が着脱可能な扇風機に関するものである。
【背景技術】
【０００２】
リビング扇風機において、従来の扇風機は羽根とガードが別々にモータ部分に固定されており、羽根とガードにホコリがたまった際に「前ガード」「羽根」「後ガード」をそれぞれ順番に取り外すものが知られている。
（例えば、特許文献１参照）
【先行技術文献】
【特許文献】
【０００３】
【特許文献１】特開昭６２−４８９９６号公報
【発明の概要】
【発明が解決しようとする課題】
【０００４】
このような従来の扇風機は、後ガード・ガード止めナット・羽根・スピンナー・前ガードを順番に取り付けることで羽根とガード部が構成される。
【０００５】
しかし、このような構成ではモータ部から上記の構成部品を取るためにはひとつずつ順番に取り外す必要があり、羽根やガード部の掃除を行う際に上記部品を分解しなければ羽根とガード部をモータ部から取り外すことができず、洗浄する手間がかかるという問題点があった。
【０００６】
そこで本発明は、上記の課題を解決するものであり、羽根とガード部の分解・洗浄の手間を削減することを目的としている。
【課題を解決するための手段】
【０００７】
そして、この目的を達成するために、本発明は、羽根と、羽根を覆うガードと、羽根と連結して羽根を回転させるモータと、モータを内蔵するモータケースと、羽根・ガード・モータケースを支える台座を有し、前記羽根はガードに設けられた軸受によって回動可能に支持され、ガードは羽を支持した状態でモータケースと結合する構成により所期の目的を達成するものである。
【発明の効果】
【０００８】
本発明によれば、ガードが羽根を保持した状態でモータケースと結合する構成によりガード部と羽根を分解することなくモータ部から取り外すことを可能とし、ガードと羽根が一体になったガード付羽根部によって、ガード部と羽根を分解することなく洗浄できるという効果を得ることができる。
【図面の簡単な説明】
【０００９】
【図１】本発明の実施の形態１の扇風機を示す（ａ）側面概略図、（ｂ）正面概略図
【図２】同扇風機の羽根・ガード部の構成を示す概略図
【図３】同扇風機のモータ部の構成を示す二面概略図
【図４】同扇風機の羽根部を示す（ａ）部分断面図、（ｂ）中心軸背面図
【図５】同扇風機のガード部の構成を示す二面図
【図６】同扇風機のモータ部内部の構成を示す二面図
【図７】同扇風機のフランジ取り付けの構成を示す概略図
【発明を実施するための形態】
【００１０】
本発明の請求項１記載の発明は、羽根と、羽根を覆うガードと、羽根と連結して羽根を回転させるモータと、モータを内蔵するモータケースと、羽根・ガード・モータケースを支える台座を有し、前記羽根はガードに設けられた軸受によって回動可能に支持され、ガードは羽を支持した状態でモータケースと結合するという機構を備える。これにより、ガード部と羽根を分解することなくモータ部から取り外す効果を奏し、さらにガード部と羽根を分解することなく洗浄できるという効果を奏する。
【００１１】
また、ガードは、前ガードと後ガードで構成され、前ガードには羽根の中心軸と嵌合する第一の軸受を設け、後ガードには、羽根の中心軸を保持する第二の軸受を設けるという構成を備える。これにより羽根とガード部を分解することなく洗浄できるという効果を奏する。
【００１２】
また、ガードとモータケースにツメを設け、ガード側のツメとモータケース側のツメとを引掛けてガードとモータケースを結合させる機構を備える。これによりガード部と羽根を分解することなくモータ部から取り外すことができるという効果を奏する。
【００１３】
また、前記モータケースにフランジを設け、フランジとガードをネジによって結合させるという構成を備える。これによりガード部と羽根を分解することなくモータ部から取り外すことができるという効果を奏する。
【００１４】
以下、本発明の実施の形態について図面を参照しながら説明する。
【００１５】
（実施の形態１）
図１に示すように、本発明はガード部１、羽根２、モータ部３、台座部４で構成されている。ガード部１のガード５は、羽根２を覆うように放射状に骨が張られている。羽根２は、プロペラファンになっており、モータ６のシャフト７を中心として回転し扇風機前方に送風する構造になっている。モータ部３には、モータ６が円筒型のモータケース８に内蔵されている。モータ６のシャフト７が扇風機本体の前方に突出するように、モータ６が設けられている。台座部４には、底面の土台９と、この土台９に垂直上向きに取り付けられた支持柱１０が設けられている。支持柱１０はモータ部３の底面と結合しており、この結合点でガード部１・羽根２・モータ部３を支持している。
【００１６】
また、図２に示すように、ガード部１は、前ガード１１と後ガード１２で構成されている。これら２つのガードは、後ガード１２の前面部に前ガード１１をはめ込むことで結合される。前ガード１１の中心部分には、前軸受１３が設けられている。この前軸受１３は、中心部分に羽根２の中心軸１４と嵌合する中心孔１５を有している。この中心孔１５と、羽根２の中心軸１４とが嵌合して羽根２が支持される。さらに、後ガード１２の中心部にも後軸受１６が設けられている。この後軸受１６は、羽根２の中心軸１４を後方から回動可能に保持している。これら２つの軸受によって、羽根２の中心軸１４を支持し、ガード部１と羽根２が一体になった状態で羽根２が回転することを可能とする。ここで、羽根２とガード部１が一体になったものをガード付羽根部とする。
【００１７】
図３に示すようにモータ６のシャフト７には径方向に突出したピン１７が設けられている。一方、図４に示すように羽根２の中心軸１４内には、モータ部３のシャフト７を挿入するシャフト穴１８が開いている。このシャフト穴１８には、シャフト７のピン１７が引っかかる溝１９が径方向に開いている。シャフト７と羽根２が結合するとき、ピン１７は溝１９に収納される。このような構成により、モータ６のシャフト７が回転すると、ピン１７がこの溝１９に引っ掛ることでモータ６の回転を羽根２に伝える。
【００１８】
さらに、後ガード１２の中心部にはモータ６のシャフト７とピン１７が通過可能な大きさの穴が開いている。モータ６のシャフト７は、この穴を通して羽根２中心軸１４内に挿入される。このような構成により、羽根２とガード部１が一体になったガード付羽根部を分解することなくモータ部３に結合することができる。あるいは、ガード付羽根部を一体のまま取り外すことができる。
【００１９】
また、図５に示すように後ガード１２後方には複数の内ツメ２０を、後ガード１２の中心軸を中心とした同一半径上に設ける。内ツメ２０は後ガード１２からモータ部３側に突出している。さらに内ツメ２０の先端は外周方向に張り出すようにＬ字型になっている。
【００２０】
一方、モータ部３の前面には、内ツメ２０と対向して外ツメ２１が設けられている。外ツメ２１も内ツメ２０と同様Ｌ字型をしているが、その先端は内周方向を向いている。図６に示すように、モータ部３側には、外ツメ２１に隣接して、ツメ固定穴２２が設けられている。このツメ固定穴２２は、ガード付羽根部を取り付ける場合には、対向する内ツメ２０を挿入し、シャフト７を中心軸として回転させることによって、ら内ツメ２０と外ツメ２１が係合するのである。
【００２１】
このように、内ツメ２０と外ツメ２１が係合することによってガード付羽根部とモータ部３が結合することになる。
【００２２】
なお、上記のガード部１とモータ部３の結合方法に関しては下記のような構成でもよい。
【００２３】
図７に示すように、モータ部３前方には、モータケース８前面から径方向に延長された円形のフランジ２３が設けられている。このフランジ２３には、ネジ穴２４が開けられている。そして、後ガード１２には、フランジ２３のネジ穴２４に対向して、ネジ穴２５が開けられている。このネジ穴２４，２５を対向させて接した状態で、フランジ２３と後ガード１２をネジ２６で固定する。このようにしてガード部１とモータ部３を結合させることができる。
【００２４】
以上のような構成により、ガード部１に設けられた前軸受１３と後軸受１６によって羽根２の中心軸１４を支持し、ガード部１と羽根２とが一体になっている。また、後ガード１２の穴を通して羽根２の中心軸１４内に設けられたシャフト穴１８にモータのシャフト７を通すことによりガード付羽根部を分解することなく羽根２とモータ６を嵌合することができる。さらに、後ガード１２の内ツメ２０とモータ部３の外ツメ２１を嵌合することでガード部１と羽根２を分解することなくモータ部３に取り付け・取り外しを行うことができる。このように、ガード部１と羽根２を一体にして取り外しが可能なので、ガード部１と羽根２を同時に洗浄することができる。
【産業上の利用可能性】
【００２５】
本発明にかかる扇風機は、使用者がガード付ファンを取り付け・取り外しする作業を短縮するものであるので、ファンにガードが取り付けられた機器に用いる技術としても有用である。
【符号の説明】
【００２６】
１  ガード部
２  羽根
３  モータ部
４  台座部
５  ガード
６  モータ
７  シャフト
８  モータケース
９  土台
１０  支持柱
１１  前ガード
１２  後ガード
１３  前軸受
１４  中心軸
１５  中心孔
１６  後軸受
１７  ピン
１８  シャフト穴
１９  溝
２０  内ツメ
２１  外ツメ
２２  ツメ固定穴
２３  フランジ
２４  ネジ穴
２５  ネジ穴
２６  ネジ
【図１】
2016142207.tif 000003
【図２】
2016142207.tif 000004
【図３】
2016142207.tif 000005
【図４】
2016142207.tif 000006
【図５】
2016142207.tif 000007
【図６】
2016142207.tif 000008
【図７】
2016142207.tif 000009